(57)【要約】  本発明は警報トリガ装置に関する。警報トリガ装置は、ユーザにより着用されるようになっているリストバンド（１０）と回路（３０）とを備える。回路（３０）は、該回路の１つ以上のユニットに給電するように構成される電源（３１）と、リストバンドを把持することにより把持力を加えるユーザによる同時作動を可能にするリストバンドの周方向延在部に沿う別個の位置に配置される第１及び第２のトリガボタン（３２ａ，３２ｂ）と、第１及び第２のトリガボタンの同時作動を検出することによって警報を検出するように構成される警報検出ユニット（３３）と、警報を含む警報メッセージを１つ以上の警報受信ユニットに無線で送信するように構成される無線通信ユニット（３４）とを備える。
2019527903.tif 000002
【特許請求の範囲】
【請求項１】
ユーザによって着用されるようになっているリストバンド（１０）と、
回路（３０）と、
を備え、
前記回路（３０）は、
前記回路の１つ以上のユニットに給電するように構成される電源（３１）と、
前記リストバンドを把持することにより把持力を加えるユーザによる同時作動を可能にする前記リストバンドの周方向延在部に沿う別個の位置に配置される第１及び第２のトリガボタン（３２ａ，３２ｂ）と、
前記第１及び第２のトリガボタンの同時作動を検出することによって警報を検出するように構成される警報検出ユニット（３３）と、
警報の検出時に警報メッセージを１つ以上の警報受信ユニットに無線で送信するように構成される無線通信ユニット（３４）と、
を備える、
警報トリガ装置。
【請求項２】
前記第１及び第２のトリガボタンは、弾性力に打ち勝つことによって作動されるように構成される請求項１に記載の警報トリガ装置。
【請求項３】
前記第１のボタンは、前記リストバンドの周方向延在部に沿う前記第２のボタンとは反対側の位置に配置される請求項１又は２に記載の警報トリガ装置。
【請求項４】
前記第１のボタンは、径方向内側に向けられる力を加えることによって作動されるように配置され、前記第２のボタンは、径方向内側に向けられる力を加えることによって作動されるように配置される請求項１から３のいずれか一項に記載の警報トリガ装置。
【請求項５】
前記電源、前記警報検出ユニット、及び、前記無線通信ユニットは、前記リストバンドと取り外し可能に一体化される電子モジュール（２０）内に備えられる請求項１から４のいずれか一項に記載の警報トリガ装置。
【請求項６】
前記電子モジュールが形状安定ポリマー材料、好ましくは熱可塑性材料から形成される請求項５に記載の警報トリガ装置。
【請求項７】
前記リストバンドは、弾性ポリマー材料、好ましくは熱可塑性材料から形成される請求項１から６のいずれか一項に記載の警報トリガ装置。
【請求項８】
前記警報検出ユニットは、所定の時間にわたって前記第１及び第２のトリガボタンの同時作動を検出することによって警報を検出するように構成される請求項１から７のいずれか一項に記載の警報トリガ装置。
【請求項９】
前記回路は、前記警報検出ユニットによる警報の検出時にフィードバックをユーザに与えるように構成されるフィードバックユニット（３５）を更に備える請求項１から８のいずれか一項に記載の警報トリガ装置。
【請求項１０】
前記無線通信ユニットは、前記１つ以上の警報受信ユニットのうちの１つ以上から確認メッセージを受信するように構成される請求項１から９のいずれか一項に記載の警報トリガ装置。
【請求項１１】
前記フィードバックユニットは、前記確認メッセージの受信時にフィードバックをユーザに与えるように更に構成され、前記警報検出ユニットによる警報の検出時のユーザへのフィードバックは、前記確認メッセージの受信時のユーザへのフィードバックとは異なる請求項９及び１０に記載の警報トリガ装置。
【請求項１２】
前記フィードバックユニットは、視覚的なフィードバックを与えるための照明装置（３５ａ）、聴覚的なフィードバックを与えるためのラウドスピーカ（３５ｂ）、又は、触覚的なフィードバックを与えるためのバイブレータ（３５ｃ）のうちの１つ以上を備える請求項９又は１１に記載の警報トリガ装置。
【請求項１３】
前記回路が位置決定ユニット（３６）を更に備え、前記位置決定ユニットは、警報のトリガ時にユーザの位置を決定するように構成され、前記無線通信ユニットは、前記警報メッセージにユーザの位置を含めるように更に構成される請求項１から１２のいずれか一項に記載の警報トリガ装置。
【請求項１４】
前記無線通信ユニットは、遠隔通信リンクを介して音声を送受信するように構成され、前記回路は、前記遠隔通信リンクを介して前記無線通信ユニットによって送信されるべき音声を記録するように構成されるマイクロホンユニット（３７）と、前記遠隔通信リンクを介して前記無線通信ユニットにより受信される音声を再生するように構成されるラウドスピーカユニット（３８）とを更に備える請求項１から１３のいずれか一項に記載の警報トリガ装置。
【請求項１５】
前記マイクロホンユニット及び／又は前記ラウドスピーカユニットは、前記警報検出ユニットが警報を検出しているときに起動されるように構成される請求項１４に記載の警報トリガ装置。
【請求項１６】
前記無線通信ユニットは、前記警報検出ユニットが警報を検出しているときに起動されるように構成される請求項１から１５のいずれか一項に記載の警報トリガ装置。
【請求項１７】
前記回路は、ユーザの転倒を検出して転倒警報信号を発するように構成される転倒検出ユニット（３９）を更に備え、前記警報検出ユニットは、前記転倒警報信号を受信することによって警報を検出するように更に構成される請求項１から１６のいずれか一項に記載の警報トリガ装置。
【請求項１８】
前記電源は、充電式バッテリであり、前記回路は、前記電源を充電するための誘導充電ユニット（４１）を更に備える請求項１から１７のいずれか一項に記載の警報トリガ装置。
【請求項１９】
警報トリガ装置（１）のための回路であって、
前記回路の１つ以上のユニットに給電するように構成される電源（３１）と、
第１及び第２のトリガボタン（３２ａ，３２ｂ）と、
前記第１及び第２のトリガボタンの同時作動を検出することによって警報を検出するように構成される警報検出ユニット（３３）と、
警報を含む警報メッセージを１つ以上の警報受信ユニットに無線で送信するように構成される無線通信ユニット（３４）と、
を備える回路。
【請求項２０】
前記回路は、前記警報トリガ装置のリストバンド（１０）に取り外し可能に挿入されるように構成される請求項１９に記載の回路。
【発明の詳細な説明】
【技術分野】
【０００１】
本発明は、警報トリガ装置及び警報トリガアラームの回路に関する。
【背景技術】
【０００２】
緊急警報システムは、高齢者や障害者が自宅で一人暮らしをすることを可能にする。
【０００３】
今日の緊急警報システムは、ユーザの家のどこかに位置される基地局と、トリガボタンを伴うリストバンドとから成る。基地局は、１人以上の所定の介護者と通信するように構成される。介護者は例えば親戚又はヘルプセンターである。トリガボタンを伴うリストバンドはユーザによって着用される。トリガボタンを伴うリストバンドは、基地局と無線通信するように更に構成される。基地局とトリガボタンを伴うリストバンドとの間の無線接続の作動距離は、障害物のない環境では一般に１００〜１５０メートルである。
【０００４】
緊急時に、ユーザがリストバンド上のトリガボタンを作動させ、警報信号が基地局に送信される。通信有効範囲内にある場合、基地局は、警報信号を受信し、警報メッセージを１人以上の所定の介護者に送信する。警報メッセージに答える際には、介護者と基地局との間の電話接続が確立され得る。ユーザ及び介護者は、その後、電話接続を介して通信できる。しかしながら、前提条件は、介護者が基地局から可聴距離内にいることである。
【０００５】
前述したことに加え、ユーザがリストバンド上のトリガボタンを実際に作動させることが面倒な場合がある。
【０００６】
したがって、緊急警報システムを改善する必要がある。
【発明の概要】
【発明が解決しようとする課題】
【０００７】
以上を考慮して、本発明の目的は、緊急警報システムの改善をもたらすことである。
【課題を解決するための手段】
【０００８】
第１の態様によれば、警報トリガ装置が提供される。警報トリガ装置は、ユーザにより着用されるようになっているリストバンドと回路とを備える。回路は、該回路の１つ以上のユニットに給電するように構成される電源と、リストバンドを把持することにより把持力を加えるユーザによる同時作動を可能にするリストバンドの周方向延在部に沿う別個の位置に配置される第１及び第２のトリガボタンと、第１及び第２のトリガボタンの同時作動を検出することによって警報を検出するように構成される警報検出ユニットと、警報の検出時に警報メッセージを１つ以上の警報受信ユニットに無線で送信するように構成される無線通信ユニットとを備える。
【０００９】
リストバンドを把持することにより把持力を加えるユーザによる同時作動を可能にすることによって、警報をトリガするための簡単で効率的な失敗のない手段がもたらされる。把持力を加えることは、人間、特に高齢者や障害者にとって力を加える最も簡単な方法のうちの１つである。
【００１０】
第１及び第２のトリガボタンは、弾性力に打ち勝つことによって作動されるように構成されてもよい。したがって、第１及び第２のトリガボタンを作動させるための効率的な手段がもたらされる。
【００１１】
第１のボタンは、リストバンドの周方向延在部に沿う第２のボタンとは反対側の位置に配置されてもよい。
【００１２】
第１のボタンは、径方向内側に向けられる力を加えることにより作動されるように配置されてもよい。第２のボタンは、径方向内側に向けられる力を加えることにより作動されるように配置されてもよい。特に、第１のボタンは、警報トリガ装置を把持するユーザの親指により作動されるように配置されてもよく、また、第２のボタンは、警報トリガ装置を把持するユーザの人差し指により作動されるように配置されてもよい。
【００１３】
電源、警報検出ユニット、及び、無線通信ユニットは、リストバンドと取り外し可能に一体化されてもよい電子モジュール内に備えられる。したがって、組み立てがより簡単な警報トリガ装置がもたらされる。更に、これにより、リストバンド及び電子モジュールの容易なリサイクルが可能となる。
【００１４】
電子モジュールは、形状安定ポリマー材料、好ましくは熱可塑性材料から形成されてもよい。電子モジュールが形状安定ポリマー材料から形成されることにより、電子モジュールのユニットは、それらの間の接続が破壊されないようにそれらの相互の位置に安全に保持される。したがって、電子モジュールの長い寿命がもたらされる。熱可塑性材料の使用は電子モジュールの製造を容易にする。
【００１５】
リストバンドは、弾性ポリマー材料、好ましくは熱可塑性材料から形成される。リストバンドをそのように形成することにより、リストバンドをユーザの手首の周囲に弾性的に適用することが容易となり得る。更に、リストバンドの弾性特性は、手首に摩耗を何ら引き起こすことなくユーザの手首の周りに良好な感触をもたらす。熱可塑性材料の使用はリストバンドの製造を容易にする。
【００１６】
警報検出ユニットは、所定の時間にわたって第１及び第２のトリガボタンの同時作動を検出することによって警報を検出するように構成されてもよい。警報をトリガするための所定の時間を設定することによって、誤警報を回避することができる。
【００１７】
回路は、警報検出ユニットによる警報の検出時にフィードバックをユーザに与えるように構成されるフィードバックユニットを更に備える。警報の検出時にフィードバックを与えることにより、ユーザは、自分が警報をトリガしたことを直ちに確認することができる。これは、警報トリガ装置の安全な装着感をユーザに与えることができる。
【００１８】
無線通信ユニットは、１つ以上の警報受信ユニットのうちの１つ以上から確認メッセージを受信するように構成されてもよい。
【００１９】
フィードバックユニットは、確認メッセージの受信時にフィードバックをユーザに与えるように更に構成されてもよい。確認メッセージの受信時にフィードバックを与えることにより、ユーザは誰かが警報を受信したことを直ちに確認することができる。これは、警報トリガ装置のより一層安全な装着感をユーザに与えることができる。
【００２０】
警報検出ユニットによる警報の検出時のユーザへのフィードバックは、確認メッセージの受信時のユーザへのフィードバックと異なってもよい。これにより、ユーザはフィードバック信号間を簡単に区別できる。
【００２１】
フィードバックユニットは、視覚的なフィードバックを与えるための照明装置、聴覚的なフィードバックを与えるためのラウドスピーカ、又は、触覚的なフィードバックを与えるためのバイブレータのうちの１つ以上を備えてもよい。これにより、ユーザの異なる感覚がフィードバックのために引き起こされ得る。
【００２２】
回路が位置決定ユニットを更に備えてもよく、この位置決定ユニットは、警報のトリガ時にユーザの位置を決定するように構成され、また、無線通信ユニットは、警報メッセージにユーザの位置を含めるように更に構成される。したがって、警報受信ユニットのオペレータは、警報トリガ装置のユーザの位置に関連する情報を簡単且つ安全に受信することができる。特に、警報がトリガされる位置を受信できる。警報のトリガ時のユーザの位置だけを決定するように位置決定ユニットを設定することにより、警報トリガ装置のユーザの個人的な完全性を保つことができる。
【００２３】
無線通信ユニットは、遠隔通信リンクを介して音声を送受信するように構成されてもよく、この場合、回路は、遠隔通信リンクを介して無線通信ユニットによって送信されるべき音声を記録するように構成されるマイクロホンユニットと、遠隔通信リンクを介して無線通信ユニットにより受信される音声を再生するように構成されるラウドスピーカユニットとを更に備える。これにより、警報トリガ装置のユーザとオペレータ又は警報受信ユニットとの間の通信が容易になる。
【００２４】
マイクロホンユーザ及び／又はラウドスピーカユニットは、警報検出ユニットが警報を検出しているときに起動されるように構成されてもよい。これにより、警報トリガユニットの電源の電力を節約できる。更に、警報を検出する際にマイクロホンユニット及び／又はラウドスピーカユニットを起動させることにより、警報トリガ装置のユーザの個人的な完全性を保つことができる。
【００２５】
無線通信ユニットは、警報検出ユニットが警報を検出する際に起動されるように構成されてもよい。これにより、警報トリガユニットの電源の電力を節約できる。更に、警報を検出する際に無線通信ユニットを起動させことにより、警報トリガ装置のユーザの個人的な完全性を保つことができる。
【００２６】
回路は、ユーザの転倒を検出して転倒警報信号を発するように構成される転倒検出ユニットを更に備えてもよく、この場合、警報検出ユニットは、転倒警報信号を受信することによって警報を検出するように更に構成される。
【００２７】
電源は充電式バッテリであってもよく、この場合、回路は、電源を充電するための誘導充電ユニットを更に備える。これにより、電子モジュールの寿命を延ばすことができる。また、電源の面倒な交換も回避できる。更に、電源の誘導充電を行うことにより、警報トリガ装置に対する物理的な接続は不要となる。これにより、警報トリガ装置に対する埃や汚れの付着が減少する。更に、これにより、警報トリガ装置を防水にすることが更に容易になる。
【００２８】
第２の態様によれば、警報トリガ装置のための回路が提供される。回路は、回路の１つ以上のユニットに給電するように構成される電源と、第１及び第２のトリガボタンと、第１及び第２のトリガボタンの同時作動を検出することによって警報を検出するように構成される警報検出ユニットと、警報を含む警報メッセージを１つ以上の警報受信ユニットに無線で送信するように構成される無線通信ユニットとを備える。
【００２９】
回路は、警報トリガ装置のリストバンドに取り外し可能に挿入されるように構成されてもよい。したがって、組み立てがより簡単な警報トリガ装置がもたらされる。更に、これにより、リストバンド及び電子モジュールの容易なリサイクルが可能となる。
【００３０】
警報トリガ装置の前述の特徴は、適用可能な場合、この第２の態様にも当てはまる。過度の反復を避けるために、上記を参照する。
【００３１】
本発明の更なる適用範囲は、以下に与えられる詳細な説明から明らかになる。しかしながら、本発明の範囲内の様々な変更及び修正がこの詳細な説明から当業者に明らかになるため、詳細な説明及び特定の実施例が本発明の好ましい実施形態を示しつつ単なる例示として与えられているにすぎないことが理解されるべきである。
【００３２】
したがって、記載された装置及び記載された方法のステップの特定の構成要素部分にこの発明が限定されないことが理解されるべきである。これは、そのような装置及び方法が変化し得るからである。本明細書中で使用される用語が、特定の実施形態のみを説明するためのものであり、限定しようとするものではないことも理解されるべきである。本明細書中及び添付の特許請求の範囲で使用される冠詞「１つの（ａ）」、「１つの（ａｎ）」、「その（ｔｈｅ）」、及び、「前記（ｓａｉｄ）」は、文脈が別段に明確に指示しなければ要素のうちの１つ以上が存在することを意味するようになっていることに留意すべきである。したがって、例えば、「１つのユニット」又は「そのユニット」への言及は、幾つかの装置などを含んでもよい。更に、「備える」、「含む」、「含んでいる」という用語、及び、同様の表現は、他の要素又はステップを排除しない。
【００３３】
ここで、本発明の実施形態を示す添付図面を参照して、本発明の前記態様及び他の態様について更に詳しく説明する。図は、本発明を特定の実施形態に限定するとみなされるべきでなく、代わりに、それらの図は、本発明を説明して理解するために使用される。
【００３４】
図に示されるように、層及び領域のサイズは、説明のために誇張されており、したがって、本発明の実施形態の一般的な構造を例示するために与えられる。同様の参照番号は全体にわたって同様の要素を指す。
【図面の簡単な説明】
【００３５】
【図１】電子モジュールがリストバンドから分解される、リストバンドと電子モジュールとを備える分解された警報トリガ装置の概略側面図である。
【図２】組み立てられた警報トリガ装置の断面図である。
【図３】警報トリガ装置の回路のブロック図である。
【発明を実施するための形態】
【００３６】
以下、本発明の現在好ましい実施形態が示される添付図面を参照して、本発明を更に詳しく説明する。しかしながら、この発明は、多くの異なる形態で具現化することができるとともに、本明細書中に記載される実施形態に限定されるように解釈されるべきでなく、むしろ、これらの実施形態は、徹底且つ完全のために及び本発明の範囲を当業者に完全に伝えるために与えられる。
【００３７】
図１は、警報トリガ装置１の概略側面図である。警報トリガ装置１は、リストバンド１０と電子モジュール２０とを備えることが好ましい。電子モジュール２０はリストバンド１０に取り外し可能に挿入可能である。図１では、警報トリガ装置１が分解状態で示される。
【００３８】
リストバンド１０は好ましくは弾性ポリマー材料から形成される。弾性ポリマー材料は好ましくは熱可塑性材料である。非限定的な例によれば、弾性ポリマー材料がシリコン系材料であってもよい。電子モジュール２０は形状安定ポリマー材料を備える。
【００３９】
リストバンド１０は、その中に電子モジュール２０を挿入するための開口１２を備えてもよい。電子モジュール２０は、リストバンド１０内に挿入されると、開口１２を介してそこから取り外されてもよい。電子モジュール２０は突起２１を備えてもよい。突起２１は、リストバンド１０の開口１２に対して相補的な形態を有してもよく、また、これにより、リストバンドと電子モジュールとの間のシールが達成されてもよい。そのため、簡単で清浄な警報トリガ装置１が提供される。したがって、警報トリガ装置１は、汚れが堆積することなく、ユーザによって毎日２４時間着用され得る。
【００４０】
電子モジュール２０がブーメラン形状を有していてもよい。したがって、電子モジュール２０は円形セグメントの形態を成してもよい。そのため、電子モジュール２０はユーザの手首の形状に従う。円形セグメントの端部は丸みを帯びていてもよい。これにより、リストバンド１０内への電子モジュール２０の挿入が容易になる。
【００４１】
図２は組み立てられた警報トリガ装置１の断面図である。したがって、電子モジュール２０がリストバンド１０内に挿入される。リストバンド１０は、リストバンドを形成するためにリストバンドの２つの端部を互いに固定するためのロック機構１４を備えてもよい。ロック機構１４は、当業者に知られている多くの異なる方法で具現化されてもよい。
【００４２】
警報トリガ装置１の使用中、リストバンド１０は、その中に挿入された電子モジュール２０とともに、警報トリガ装置１のユーザの手首の周りに着用されることが好ましい。
【００４３】
図２に示されるように、警報トリガ装置１は第１及び第２のトリガボタン３２ａ，３２ｂを備える。第１及び第２のトリガボタン３２ａ，３２ｂはリストバンド１０の周方向延在部に沿う別個の位置に配置される。第１及び第２のトリガボタン３２ａ，３２ｂは、ユーザによる同時作動を可能にする。同時作動は、第１及び第２のトリガボタン３２ａ，３２ｂに把持力を同時に加えることによって行われる。把持力は、ユーザがリストバンドを片手で把持することによって加えられる。言うまでもなく、把持力は、リストバンドがユーザによって着用される手以外の手によって加えられる。したがって、第１のトリガボタン３２ａは、径方向内側に向けられる力を加えることにより作動されるように配置されてもよい。同様に、第２のトリガボタン３２ｂは、径方向内側に向けられる力を加えることにより作動されるように配置されてもよい。第１のトリガボタン３２ａは、弾性力に打ち勝つことによって作動されてもよい。第２のトリガボタン３２ｂは、弾性力に打ち勝つことによって作動されるように構成されてもよい。
【００４４】
前述のように、警報は、第１及び第２のトリガボタン３２ａ，３２ｂを同時に作動させることによって警報トリガ装置１のユーザによってトリガされる。同時作動は、リストバンド１０、したがってそこに備えられる第１及び第２のトリガボタン３２ａ，３２ｂを片手で把持して把持力を加えることによってユーザにより行われる。ユーザは、リストバンド１０をユーザの一方の手の手首の周りに装着し、ユーザの他方の手でリストバンド１０を把持している。リストバンドを把持することにより把持力を加えるユーザによる同時作動を可能にすることによって、警報をトリガするための簡単で効率的な失敗のない手段がもたらされる。把持力を加えることは、人間、特に高齢者や障害者にとって力を加える最も簡単な方法のうちの１つである。
【００４５】
図２にも示されるように、第１のトリガボタン３２ａは、リストバンド１０の周方向延在部に沿う第２のトリガボタン３２ｂとは反対側の位置に配置されてもよい。第１のトリガボタン３２ａは、リストバンド１０の周方向延在部全体の少なくとも５％、好ましくはリストバンド１０の周方向延在部全体の５〜４０％であるリストバンド１０の周方向延在部に沿う延在長を有してもよい。第２のトリガボタン３２ａは、リストバンド１０の周方向延在部全体の少なくとも５％、好ましくはリストバンド１０の周方向延在部全体の５〜１０％であるリストバンド１０の周方向延在部に沿う延在長を有してもよい。
【００４６】
リストバンド１０は、トリガボタン３２ａ，３２ｂが位置されている場所を示す突起を備えてもよい。
【００４７】
前述のように、警報トリガ装置１は、第１及び第２のトリガボタン３２ａ，３２ｂを備える。第１及び第２のトリガボタン３２ａ，３２ｂは回路３０に備えられる。回路３０は電子モジュール２０に備えられてもよい。図３に関連して、警報トリガ装置１の回路３０について説明する。図３は、警報トリガ装置の回路３０のブロック図である。第１及び第２のトリガボタン３２ａ，３２ｂに加えて、回路は、警報検出ユニット３３、無線通信ユニット３４、及び、電源３１を備える。
【００４８】
電源３１は、回路３０の１つ以上のユニットに給電するように構成される。電源とは、回路３０の１つ以上のユニットに電力を供給するように構成される供給源を意味する。例えば、電源３１は充電式バッテリであってもよい。回路３０は、電源３１を充電するための誘導充電ユニット４１を更に備えてもよい。
【００４９】
警報検出ユニット３３は、好ましくは所定の時間にわたって第１及び第２のトリガボタン３２ａ，３２ｂの同時作動を検出することによって警報を検出するように構成される。所定の時間は、例えば、１〜１０秒の間隔内の時間に設定されてもよい。
【００５０】
無線通信ユニット３４は、警報の検出時に警報メッセージを１つ以上の警報受信ユニット（図示せず）に無線で送信するように構成される。無線通信ユニット３４は、例えば、１つ以上の警報受信ユニットとの通話を確立するように構成される電話モジュールであってもよい。したがって、無線通信ユニット３４は、無線通信ユニット３４を携帯電話ユニットとして設定するための固定された又は交換可能なＳＩＭカードを備えてもよい。無線通信ユニット３４は、１つ以上の警報受信ユニットを警報トリガ装置１のユーザによって設定できる或いは警報トリガ装置１をユーザに提供するサービスプロバイダによって設定できるようにプログラム可能であってもよい。無線通信ユニット３４は、１つ以上の警報受信ユニットのうちの１つ以上から確認メッセージを受信するように更に構成されてもよい。１つ以上の警報受信ユニットのうちの１つ以上から確認メッセージを受信する際、無線通信ユニット３４は、１つ以上の警報受信ユニットのうちの１つ以上との遠隔通信リンクを確立するように更に構成されてもよい。したがって、無線通信ユニット３４は、遠隔通信リンクを介して音声を送受信するように構成されてもよい。無線通信ユニット３４は、警報検出ユニット３３による警報の検出時に起動するように構成されてもよい。
【００５１】
１つのシナリオによれば、無線通信ユニット３４は、少なくとも１つの確認メッセージが受信されるまで、１つ以上の警報受信ユニットに警報メッセージを送信するように構成される。
【００５２】
無線通信ユニット３４は、１つ以上の警報受信ユニットに同時に警報メッセージを送信するように更に構成されてもよい。
【００５３】
無線通信ユニット３４は、１つ以上の警報受信ユニットのうちの１つから確認メッセージを受信する際、１つ以上の警報受信ユニットの他の警報受信ユニットに対する警報メッセージの送信を停止するように更に構成されてもよい。
【００５４】
回路３０はマイクロホンユニット３７を更に備えてもよい。マイクロホンユニット３７は、無線通信ユニット３４によって送信されるべき又は回路３０のメモリ（図示せず）に記憶されるべき音声を記録するように構成される。マイクロホンユニット３７は、確認メッセージの受信時に起動されるように構成されてもよい。これにより、ユーザは、警報に関連して１つ以上の警報受信ユニットのうちの１つ以上と通信することができる。或いは、マイクロホンユニット３７は、警報のトリガ時に起動されるように構成されてもよい。ユーザに１つ以上の警報受信ユニットのうちの１つ以上と通信させることに加えて、これは、警報をトリガする事象と１つ以上の警報受信ユニットのうちの１つ以上からの確認メッセージの受信との間のユーザの位置で音を記録及び記憶できるようにする。
【００５５】
回路３０は、遠隔通信リンクを介して無線通信ユニット３４により受信される音声を再生するように構成されるラウドスピーカユニット３８を更に備えてもよい。ラウドスピーカユニット３８は、確認メッセージの受信時に起動されるように構成されてもよい。或いは、ラウドスピーカユニット３８は、警報検出ユニット３３が警報を検出しているときに起動されるように構成されてもよい。これらの選択肢のいずれによって、電源３１の電力が節約されてもよい。
【００５６】
１つのシナリオによれば、警報トリガ装置１のユーザは、上記に従ってリストバンド１０を把持することにより警報をトリガする。これがマイクロホンユニット３７を起動させ、ユーザの位置における音声が記録されてもよい。無線通信ユニット３４が警報によっても起動され、また、無線通信ユニット３４は、場合により、ユーザの位置で記録される音声を含む警報メッセージを１つ以上の警報受信ユニットに送信する。前述したように、警報メッセージに応答する際、警報受信ユニットは、確認メッセージを警報トリガ装置１に送信する。確認メッセージの受信時又は警報をトリガする際に、ラウドスピーカユニット３８が起動されてもよい。その後、音声が警報受信ユニットから警報トリガ装置１に直接に送信されてもよい。これにより、警報受信ユニットのオペレータ及び警報トリガ装置１のユーザが互いに話し合うことができる。
【００５７】
回路３０はフィードバックユニット３５を更に備えてもよい。フィードバックユニット３５は、視覚的なフィードバックを与えるための照明装置３５ａ、聴覚的なフィードバックを与えるためのラウドスピーカ３５ｂ、又は、触覚的なフィードバックを与えるためのバイブレータ３５ｃのうちの１つ以上を備えてもよい。非限定的な例によれば、照明装置３５ａがＬＥＤを備えてもよい。リストバンド１０は、フィードバックユニット３５の照明装置３５ａからの光がそこを通って逃げることを可能にする半透明部を備えてもよい。リストバンド１０の半透明部は、リストバンド１０の側面に位置されてもよく、また、リストバンド１０の周方向延在部に沿う延在部を有してもよい。フィードバックユニット３５は、警報検出ユニット３３による警報の検出時にユーザにフィードバックを与えるように構成されてもよい。更に、フィードバックユニット３５は、１つ以上の警報受信ユニットのうちの１つ以上からの確認メッセージの受信時にユーザにフィードバックを与えるように構成されてもよい。好ましくは、フィードバックユニット３５は、フィードバックが起動された警報の確認として与えられるか又はフィードバックが受信された確認メッセージの確認として与えられるかどうかに応じて、異なるフィードバックをユーザに与えるように構成される。非限定的な例として、照明装置３５ａは、警報の起動時に第１の色の光を発するフィードバックを与えるとともに確認メッセージの受信時に第２の色の光を発するフィードバックを与えるように設定されてもよく、この場合、第２の色は第１の色と異なる。フィードバックユニット３５のラウドスピーカ３５ｂは、フィードバックの種類に応じて異なる音を発するように設定されてもよく、及び／又は、フィードバックユニット３５のバイブレータ３５ｃは、フィードバックの種類に応じて異なる触覚信号を発するように設定されてもよい。これに代えて又はこれと組み合わせて、警報の起動に関連するフィードバック及び確認メッセージの受信に関連するフィードバックは、照明装置３５ａ、ラウドスピーカ３５ｂ、及び、バイブレータ３５ｃのうちの異なるものによって与えられてもよい。
【００５８】
回路３０は位置決定ユニット３６を更に備えてもよい。非限定的な例によれば、位置決定ユニット３６がＧＰＳユニットであってもよい。位置決定ユニット３６は、警報のトリガ時にユーザの位置を決定するように構成される。そのような場合、無線通信ユニット３４は、ユーザの位置を警告メッセージに含めるように更に構成されてもよい。したがって、１つ以上の警報受信ユニットの全ては、警報がトリガされたときにユーザがいた位置を得ることができる。１つのシナリオによれば、警報トリガ装置１のユーザは、上記に従ってリストバンド１０を把持することにより警報をトリガする。これにより、ユーザの位置を決定する位置決定ユニット３６が起動される。無線通信ユニット３４が警報によっても起動され、また、無線通信ユニット３４は、ユーザの位置を含む警報メッセージを１つ以上の警報受信ユニットに送信する。更に、位置決定ユニット３６は、アクティブな遠隔通信リンク中にユーザの位置を更新してもよい。無線通信ユニット３４は、ユーザの更新された位置を１つ以上の警報受信ユニットに送信するように構成されてもよい。
【００５９】
回路３０は通信バス４０を更に備えてもよい。回路３０のユニット３３，３４，３５，３６，３７，３８，３９が通信バス４０を介して通信するように構成されてもよい。
【００６０】
回路３０のユニット３３，３４，３５，３６，３７，３８，３９のうちの１つ以上が専用のハードウェアコンポーネントとして実装されてもよい。回路３０のユニット３３，３４，３５，３６，３７，３８，３９のうちの１つ以上は、データ処理ユニット上で実行されるデジタルソフトウェアコンポーネントとして実装されてもよい。したがって、回路３０が処理ユニットを備えてもよい。回路３０は、前述の１つ以上のデジタルソフトウェアコンポーネントを記憶するための持続性コンピュータ可読デジタル記憶媒体を更に備えてもよい。
【００６１】
当業者であれば分かるように、本発明は決して前述の好ましい実施形態に限定されない。逆に、添付の特許請求の範囲内で多くの変更及び変形が可能である。
【００６２】
例えば、上記において、警報トリガ装置１は、リストバンド１０と、リストバンド１０内に取り外し可能に挿入できる電子モジュール２０とを備える装置として例示されていた。しかしながら、実施形態によれば、警報トリガ装置１は、リストバンド１０を回路３０の周囲に成形することによって形成されてもよい。したがって、回路３０がリストバンド１０内に封入されてもよい。更なる他の実施形態によれば、警報トリガ装置１は、回路３０を内部に備える電子モジュール２０の周囲にリストバンド１０を成形することによって形成されてもよい。したがって、電子モジュール２０及びその中に備えられる回路３０がリストバンド１０内に封入されてもよい。
【００６３】
更に、回路３０は転倒検出ユニット３９を備えてもよい。転倒検出ユニット３９は、ユーザの転倒を検出するように構成される。ユーザの転倒を検出すると、転倒検出ユニット３９は転倒警告信号を発するように構成される。そのような場合、警報検出ユニット３３は、転倒警報信号を受信することによって警報を検出するように更に構成される。転倒検出ユニット３９は、当業者に知られている様々な方法で実施されてもよい。非限定的な例は、加速度計に基づく転倒検出ユニット３９である。
【００６４】
加えて、開示された実施形態に対する変形は、図面、開示内容、及び、添付の特許請求の範囲の検討により、特許請求の範囲に記載される発明を実施する際に当業者によって理解されて達成され得る。
【図１】
2019527903.tif 000003
【図２】
2019527903.tif 000004
【図３】
2019527903.tif 000005
【国際調査報告】
2019527903.tif 000006
2019527903.tif 000007